(57)【要約】【課題】個々のユーザにより設定された個別的な案内情報を、付加的に提供することができるナビゲーション装置を提供する。【解決手段】ナビゲーション装置１００において、マイクロホン７１によりユーザにより案内情報が入力され、現在位置特定プログラム９４ａにより現在位置が特定され、第１作成プログラム９４ｃ・第２作成プログラム９４ｄ・第３作成プログラム９４ｄにより、入力された案内情報と位置情報とが、互いに対応付けられて記憶媒体６１に記憶され、提供プログラム９４ｆにより、現在位置が、記憶媒体６１に記憶された位置情報に基づく情報提供位置と一致した場合に、記憶媒体６１において当該位置情報に対応付けられて記憶された案内情報がユーザに提供される。【選択図】図１
2008224604.tif 000002
【特許請求の範囲】
【請求項１】
ユーザに音声案内情報を入力させる入力手段と、
地図情報を表示する表示手段と、
ユーザに、前記表示手段により表示された地図情報における任意の情報提供位置を指定させる位置指定手段と、
現在位置を特定する現在位置特定手段と、
前記現在位置特定手段により特定された現在位置に基づいて、ユーザに、前記情報提供位置を設定させる設定手段と、
前記入力手段により入力された前記音声案内情報と、位置情報とを、互いに対応付けて、装置本体に対して着脱自在な所定の記憶媒体に記憶させる記憶制御手段と、
前記現在位置特定手段により特定される現在位置が、前記所定の記憶媒体に記憶された前記位置情報に基づく情報提供位置と一致した場合に、前記所定の記憶媒体において、当該位置情報に対応付けられて記憶された前記音声案内情報をユーザに提供する提供手段と、
を備え、
前記記憶制御手段は、
前記位置指定手段により指定された前記情報提供位置の位置情報と、前記入力手段により入力された前記音声案内情報と、を互いに対応づけて前記所定の記憶媒体に記憶させる第１記憶制御手段と、
前記入力手段により入力された前記音声案内情報と、当該入力手段による前記音声案内情報の入力時において前記現在位置特定手段により特定された現在位置の位置情報と、を互いに対応付けて前記所定の記憶媒体に記憶させる第２記憶制御手段と、
前記設定手段により設定された前記情報提供位置の位置情報と、前記入力手段により入力された前記音声案内情報と、を互いに対応付けて前記所定の記憶媒体に記憶させる第３記憶制御手段と、
を備えることを特徴とするナビゲーション装置。
【請求項２】
ユーザに案内情報を入力させる入力手段と、
現在位置を特定する現在位置特定手段と、
前記入力手段により入力された前記案内情報と、位置情報とを、互いに対応付けて所定の記憶媒体に記憶させる記憶制御手段と、
前記現在位置特定手段により特定される現在位置が、前記所定の記憶媒体に記憶された前記位置情報に基づく情報提供位置と一致した場合に、前記所定の記憶媒体において、当該位置情報に対応付けられて記憶された前記案内情報をユーザに提供する提供手段と、
を備えることを特徴とするナビゲーション装置。
【請求項３】
地図情報を表示する表示手段と、
ユーザに、前記表示手段により表示された地図情報における任意の情報提供位置を指定させる位置指定手段と、を備え、
前記記憶制御手段は、前記位置指定手段により指定された前記情報提供位置の位置情報と、前記入力手段により入力された前記案内情報と、を互いに対応づけて前記所定の記憶媒体に記憶させることを特徴とする請求項２に記載のナビゲーション装置。
【請求項４】
前記記憶制御手段は、前記入力手段により入力された前記音声案内情報と、当該入力手段による前記音声案内情報の入力時において前記現在位置特定手段により特定された現在位置の位置情報と、を互いに対応付けて前記所定の記憶媒体に記憶させることを特徴とする請求項２又は３に記載のナビゲーション装置。
【請求項５】
前記現在位置特定手段により特定された現在位置に基づいて、ユーザに、前記情報提供位置を設定させる設定手段を備え、
前記記憶制御手段は、前記設定手段により設定された前記情報提供位置の位置情報と、前記入力手段により入力された前記案内情報と、を互いに対応付けて前記所定の記憶媒体に記憶させることを特徴とする請求項２又は３に記載のナビゲーション装置。
【請求項６】
情報提供装置と、ネットワークを介して接続するナビゲーション装置において、
現在位置を特定する現在位置特定手段と、
ユーザに、位置情報を入力させる第１入力手段と、
ユーザに、案内情報を入力させる第２入力手段と、
情報提供装置に、前記第１入力手段により入力された位置情報と、前記第２入力手段により入力された案内情報とを対応付けた個別案内情報を送信する送信手段と、
前記第１入力手段により入力された前記位置情報を所定の記憶媒体に記憶させる記憶制御手段と、
前記現在位置特定手段により特定される現在位置が、前記記憶制御手段により前記所定の記憶媒体に記憶された前記位置情報に基づく情報提供位置と一致した場合に、前記情報提供装置から、前記個別案内情報における当該位置情報に対応付けられた前記案内情報を取得する取得手段と、
前記取得手段により取得された前記案内情報をユーザに提供する提供手段と、
を備えることを特徴とするナビゲーション装置。
【請求項７】
前記所定の記憶媒体は、装置本体に対して着脱自在であることを特徴とする請求項２〜６の何れか一項に記載のナビゲーション装置。
【請求項８】
前記案内情報は、音声情報であることを特徴とする請求項２〜７の何れか一項に記載のナビゲーション装置。
【発明の詳細な説明】
【技術分野】
【０００１】
本発明は、現在位置に応じた案内情報を提供するナビゲーション装置に関する。
【背景技術】
【０００２】
従来、通常の経路案内に加えて、カードスロット等に挿入されたカードに関連する交通情報及び施設情報等の案内情報を提供するナビゲーション装置が知られている。（例えば、特許文献１参照）。
【０００３】
また、制御装置にＩＣカードを装着してナビゲーション機能の変更・改良・追加を行うとともに、このＩＣカードに、利用者が自ら作成した音声データを記憶させることで、ナビゲーション機能の音声案内を利用者が望む音声に変えることを可能とするナビゲーションシステムが知られている（例えば、特許文献２参照）。
【特許文献１】特開２００６−３０８４６８号公報
【特許文献２】特開平７−１１４６９５号公報
【発明の開示】
【発明が解決しようとする課題】
【０００４】
ところで、従来のナビゲーション装置において提供される案内情報は、実際に使用する個々のユーザにとって、必ずしも最適な案内情報であるとは言えなかった。
そこで、ナビゲーション装置において、ユーザが自ら設定した案内情報を提供したいというニーズがある。しかしながら、上記特許文献１のナビゲーション装置では、ユーザが自ら作成した音声案内を提供することはできなかった。また、上記特許文献２のナビゲーションシステムでは、ユーザが自ら作成した音声データを提供することはできるものの、元の音声データが書き換えられてしまうため、個々のユーザにより設定された最適な案内情報を、その時々の状況に応じて、付加的に提供することはできないという問題があった。
【０００５】
本発明の課題は、個々のユーザにより設定された個別的な案内情報を、付加的に提供することができるナビゲーション装置を提供することである。
【課題を解決するための手段】
【０００６】
上記課題を解決するため、請求項１に記載の発明は、ナビゲーション装置において、ユーザに音声案内情報を入力させる入力手段と、
地図情報を表示する表示手段と、
ユーザに、前記表示手段により表示された地図情報における任意の情報提供位置を指定させる位置指定手段と、
現在位置を特定する現在位置特定手段と、
前記現在位置特定手段により特定された現在位置に基づいて、ユーザに、前記情報提供位置を設定させる設定手段と、
前記入力手段により入力された前記音声案内情報と、位置情報とを、互いに対応付けて、装置本体に対して着脱自在な所定の記憶媒体に記憶させる記憶制御手段と、
前記現在位置特定手段により特定される現在位置が、前記所定の記憶媒体に記憶された前記位置情報に基づく情報提供位置と一致した場合に、前記所定の記憶媒体において、当該位置情報に対応付けられて記憶された前記音声案内情報をユーザに提供する提供手段と、
を備え、
前記記憶制御手段は、
前記位置指定手段により指定された前記情報提供位置の位置情報と、前記入力手段により入力された前記音声案内情報と、を互いに対応づけて前記所定の記憶媒体に記憶させる第１記憶制御手段と、
前記入力手段により入力された前記音声案内情報と、当該入力手段による前記音声案内情報の入力時において前記現在位置特定手段により特定された現在位置の位置情報と、を互いに対応付けて前記所定の記憶媒体に記憶させる第２記憶制御手段と、
前記設定手段により設定された前記情報提供位置の位置情報と、前記入力手段により入力された前記音声案内情報と、を互いに対応付けて前記所定の記憶媒体に記憶させる第３記憶制御手段と、
を備えることを特徴とする。
【０００７】
請求項２に記載の発明は、ナビゲーション装置において、ユーザに案内情報を入力させる入力手段と、
現在位置を特定する現在位置特定手段と、
前記入力手段により入力された前記案内情報と、位置情報とを、互いに対応付けて所定の記憶媒体に記憶させる記憶制御手段と、
前記現在位置特定手段により特定される現在位置が、前記所定の記憶媒体に記憶された前記位置情報に基づく情報提供位置と一致した場合に、前記所定の記憶媒体において、当該位置情報に対応付けられて記憶された前記案内情報をユーザに提供する提供手段と、
を備えることを特徴とする。
【０００８】
請求項３に記載の発明は、請求項２に記載のナビゲーション装置において、地図情報を表示する表示手段と、
ユーザに、前記表示手段により表示された地図情報における任意の情報提供位置を指定させる位置指定手段と、を備え、
前記記憶制御手段は、前記位置指定手段により指定された前記情報提供位置の位置情報と、前記入力手段により入力された前記案内情報と、を互いに対応づけて前記所定の記憶媒体に記憶させることを特徴とする。
【０００９】
請求項４に記載の発明は、請求項２又は３に記載のナビゲーション装置において、前記入力手段により入力された前記音声案内情報と、当該入力手段による前記音声案内情報の入力時において前記現在位置特定手段により特定された現在位置の位置情報と、を互いに対応付けて前記所定の記憶媒体に記憶させることを特徴とする。
【００１０】
請求項５に記載の発明は、請求項２又は３に記載のナビゲーション装置において、前記現在位置特定手段により特定された現在位置に基づいて、ユーザに、前記情報提供位置を設定させる設定手段を備え、
前記記憶制御手段は、前記設定手段により設定された前記情報提供位置の位置情報と、前記入力手段により入力された前記案内情報と、を互いに対応付けて前記所定の記憶媒体に記憶させることを特徴とする。
【００１１】
請求項６に記載の発明は、情報提供装置と、ネットワークを介して接続するナビゲーション装置において、
現在位置を特定する現在位置特定手段と、
ユーザに、位置情報を入力させる第１入力手段と、
ユーザに、案内情報を入力させる第２入力手段と、
情報提供装置に、前記第１入力手段により入力された位置情報と、前記第２入力手段により入力された案内情報とを対応付けた個別案内情報を送信する送信手段と、
前記第１入力手段により入力された前記位置情報を所定の記憶媒体に記憶させる記憶制御手段と、
前記現在位置特定手段により特定される現在位置が、前記記憶制御手段により前記所定の記憶媒体に記憶された前記位置情報に基づく情報提供位置と一致した場合に、前記情報提供装置から、前記個別案内情報における当該位置情報に対応付けられた前記案内情報を取得する取得手段と、
前記取得手段により取得された前記案内情報をユーザに提供する提供手段と、
を備えることを特徴とする。
【００１２】
請求項７に記載の発明は、請求項２〜６の何れか一項に記載のナビゲーション装置において、前記所定の記憶媒体は、装置本体に対して着脱自在であることを特徴とする。
【００１３】
請求項８に記載の発明は、請求項２〜７の何れか一項に記載のナビゲーション装置において、前記案内情報は、音声情報であることを特徴とする。
【発明の効果】
【００１４】
請求項１に記載の発明によれば、入力手段により、音声案内情報がユーザにより入力され、表示手段により地図情報が表示され、位置指定手段により、表示手段により表示された地図情報における任意の情報提供位置がユーザにより指定され、現在位置特定手段により、現在位置が特定され、設定手段により、現在位置特定手段により特定された現在位置に基づいて、ユーザにより情報提供位置が設定され、記憶制御手段により、入力手段により入力された音声案内情報と、位置情報とが、互いに対応付けられて、装置本体に対して着脱自在な所定の記憶媒体に記憶され、提供手段により、現在位置特定手段により特定される現在位置が、所定の記憶媒体に記憶された位置情報に基づく情報提供位置と一致した場合に、所定の記憶媒体において、当該位置情報に対応付けられて記憶された音声案内情報がユーザに提供される。
したがって、ユーザは、案内情報を、その案内情報を提供したい情報提供位置に対応付けて記憶媒体に記憶させることができ、現在位置が、当該記憶媒体に記憶された情報提供位置となった場合に、その情報提供位置に対応付けられた案内情報が提供されることとなるため、個々のユーザにより設定された個別的な案内情報を、付加的に提供することができるナビゲーション装置を提供することができる。
また、所定の記憶媒体は、装置本体に対して着脱自在であるため、一のナビゲーション装置において記憶させた音声案内情報に基づいて、別のナビゲーション装置において当該音声案内情報を提供することができることとなり、個々のユーザにより設定された個別的な案内情報を、より利便的に提供することができる。
さらに、案内情報は、音声案内情報であるため、案内情報の入力を行うユーザにとって、案内情報の入力が容易となるとともに、案内情報の提供を受けるユーザにとっても、表示部を見なくても良いこととなり、使い勝手が良いものとなる。
【００１５】
また、記憶制御手段に備わる第１記憶制御手段により、位置指定手段により指定された情報提供位置の位置情報と、入力手段により入力された音声案内情報と、が互いに対応づけられて所定の記憶媒体に記憶される。したがって、ユーザは、情報提供位置の指定と、音声案内情報の入力のそれぞれを、任意のタイミングで行うことができ、さらに、情報提供位置以外においても、情報提供位置の指定と、音声案内情報の入力を行うことができる。
また、記憶制御手段に備わる第２記憶制御手段により、入力手段により入力された音声案内情報と、当該入力手段による音声案内情報の入力時において現在位置特定手段により特定された現在位置の位置情報と、が互いに対応付けられて所定の記憶媒体に記憶される。したがって、ユーザにより入力される音声案内情報が、当該音声案内情報の入力時において、現在位置特定手段により特定される現在位置に自動的に対応付けられて記憶されるため、ユーザは、案内情報の提供地点としての情報提供位置を指定する必要が無いこととなる。
さらに、記憶制御手段に備わる第３記憶制御手段により、設定手段により設定された情報提供位置の位置情報と、入力手段により入力された音声案内情報と、が互いに対応付けられて所定の記憶媒体に記憶される。したがって、ユーザは、音声案内情報の入力を任意のタイミングで行うことができ、また、情報提供位置以外でも、音声案内情報の入力を行うことができる。
【００１６】
請求項２に記載の発明によれば、入力手段により、ユーザにより案内情報が入力され、現在位置特定手段により現在位置が特定され、記憶制御手段により、前記入力手段により入力された案内情報と、位置情報とが、互いに対応付けられて所定の記憶媒体に記憶され、提供手段により、現在位置特定手段により特定される現在位置が、所定の記憶媒体に記憶された位置情報に基づく情報提供位置と一致した場合に、所定の記憶媒体において、当該位置情報に対応付けられて記憶された案内情報がユーザに提供される。
したがって、ユーザは、案内情報を、その案内情報を提供したい情報提供位置に対応付けて記憶媒体に記憶させることができ、現在位置が、当該記憶媒体に記憶された情報提供位置となった場合に、その情報提供位置に対応付けられた案内情報が提供されることとなるため、個々のユーザにより設定された個別的な案内情報を、付加的に提供することができるナビゲーション装置を提供することができる。
【００１７】
請求項３に記載の発明によれば、請求項２に記載の発明の効果が得られるのは無論のこと、表示手段により地図情報が表示され、位置指定手段により、ユーザにより、表示手段により表示された地図情報における任意の情報提供位置が指定され、記憶制御手段により、位置指定手段により指定された情報提供位置の位置情報と、入力手段により入力された案内情報と、が互いに対応づけられて所定の記憶媒体に記憶される。
したがって、ユーザは、情報提供位置の指定と、音声案内情報の入力のそれぞれを、任意のタイミングで行うことができる。また、ユーザは、情報提供位置以外の場所においても、情報提供位置の指定と、音声案内情報の入力を行うことができる。
【００１８】
請求項４に記載の発明によれば、請求項２又は３に記載の発明の効果が得られるのは無論のこと、記憶制御手段により、入力手段により入力された音声案内情報と、当該入力手段による音声案内情報の入力時において現在位置特定手段により特定された現在位置の位置情報と、が互いに対応付けられて所定の記憶媒体に記憶される。
したがって、ユーザにより入力される音声案内情報が、当該音声案内情報の入力時において、現在位置特定手段により特定される現在位置に自動的に対応付けられて記憶されるため、ユーザは、案内情報の提供地点としての情報提供位置を指定する必要が無いこととなる。
【００１９】
請求項５に記載の発明によれば、請求項２又は３に記載の発明の効果が得られるのは無論のこと、設定手段により、現在位置特定手段により特定された現在位置に基づいて、ユーザにより、情報提供位置が設定され、記憶制御手段により、設定手段により設定された情報提供位置の位置情報と、入力手段により入力された案内情報と、が互いに対応付けられて所定の記憶媒体に記憶される。
したがって、ユーザは、音声案内情報の入力を任意のタイミングで行うことができる。  また、ユーザは、情報提供位置以外の場所であっても、音声案内情報の入力を行うことができる。
【００２０】
請求項６に記載の発明によれば、現在位置特定手段により現在位置が特定され、第１入力手段により、ユーザにより位置情報が入力され、第２入力手段により、ユーザにより、案内情報が入力され、送信手段により、情報提供装置に、第１入力手段により入力された位置情報と、第２入力手段により入力された案内情報とが対応付けられた個別案内情報が送信され、記憶制御手段により、第１入力手段により入力された位置情報が所定の記憶媒体に記憶され、取得手段により、現在位置特定手段により特定される現在位置が、記憶制御手段により所定の記憶媒体に記憶された位置情報に基づく情報提供位置と一致した場合に、情報提供装置から、個別案内情報における当該位置情報に対応付けられた案内情報が取得され、提供手段により、取得手段により取得された案内情報がユーザに提供される。
したがって、ユーザは、案内情報を、その案内情報を提供したい情報提供位置に対応付けて情報提供装置に送信するとともに、情報提供位置を示す位置情報を記憶媒体に記憶させることができ、現在位置が、当該記憶媒体に記憶された情報提供位置となった場合に、その情報提供位置に対応付けられた案内情報が情報提供装置から提供されることとなるため、個々のユーザにより設定された個別的な案内情報を、付加的に提供することができるナビゲーション装置を提供することができる。
また、記憶媒体に案内情報を記憶させる必要がなく、記憶媒体の容量を抑えることができる。
【００２１】
請求項７に記載の発明によれば、請求項２〜６の何れか一項に記載の発明の効果が得られるのは無論のこと、所定の記憶媒体は、装置本体に対して着脱自在であるため、一のナビゲーション装置において記憶させた音声案内情報に基づいて、別のナビゲーション装置において当該音声案内情報を提供することができることとなり、個々のユーザにより設定された個別的な案内情報を、より利便的に提供することができる。
【００２２】
請求項８に記載の発明によれば、請求項２〜７の何れか一項に記載の発明の効果が得られるのは無論のこと、案内情報は、音声情報であるため、案内情報の入力を行うユーザにとって、案内情報の入力が容易となるとともに、案内情報の提供を受けるユーザにとっても、表示部を見なくても良いこととなり、ナビゲーション装置の使い勝手が良いものとなる。
【発明を実施するための最良の形態】
【００２３】
以下、本発明の実施の形態を、図面を参照しながら詳細に説明する。
【００２４】
（実施形態１）
初めに、実施形態１のナビゲーション装置１００について、図１〜図６を参照して説明する。
実施形態１のナビゲーション装置１００は、例えば、車両等に搭載されるポータブル型のナビゲーション装置である。ナビゲーション装置１００は、内蔵型ＨＤＤ（Hard Disc Drive）や、ＣＤ−ＲＯＭ(Compact Disc Read Only Memory)、ＤＶＤ（Digital Versatile Disc）等の着脱可能な記憶媒体等に予め備えられた情報に基づいて、目的地までの経路探索や経路案内、地図情報等の各種情報の提供を行う。
【００２５】
また、特に、本実施形態１のナビゲーション装置１００では、予め備えられた情報に基づいて提供される案内情報の他に、ユーザ自身が音声案内情報を入力して、これを記憶媒体６１に記憶させる音声案内情報作成処理と、当該音声案内情報作成処理により記憶媒体６１に記憶された音声案内情報を再生する音声案内情報提供処理が行われる。これにより、個々のユーザにより設定された個別的な案内情報の提供を、既存のナビゲーション装置において付加的に実現することができる。本実施形態１では、ナビゲーション装置１００におけるこのような個別的な案内情報の作成及び提供を実現するための構成について説明する。
【００２６】
なお、以下の説明では、説明の簡略化のため、一つのナビゲーション装置１００において行われる音声案内情報作成処理及び音声案内情報提供処理について説明するが、ナビゲーション装置１００と同様の構成を有する別のナビゲーション装置においても、音声案内情報作成処理及び音声案内情報提供処理の両方又は何れか一方が実行可能に構成されている。
そのため、一のナビゲーション装置１００で作成された音声案内情報に基づいて、別のナビゲーション装置で当該音声案内情報の提供を行うことができる。例えば、ユーザＡが、ナビゲーション装置１００において音声案内情報を記憶媒体６１に記憶させ、この記憶媒体６１を別のユーザＢに渡す。ユーザＢは、ユーザＡから渡された記憶媒体６１を別のナビゲーション装置において再生することにより、ユーザＡの作成した個別的な案内情報の提供を受けることができる。
【００２７】
まず、ナビゲーション装置１００の要部構成について、図１を参照しながら説明する。
ナビゲーション装置１００は、例えば、装置本体１内に、現在位置特定手段としてのＧＰＳ測位部２、通信部３、位置指定手段及び設定手段としてのキー入力部４、表示手段としての表示部５、記憶媒体６１を装置本体１に対して着脱自在に装填する装填部６、記憶制御手段としての音声記録ユニット７、提供手段としての音声再生ユニット８、制御部９等を備えて構成されている。
【００２８】
ＧＰＳ測位部２は、例えば、図示しない複数の人工衛星から発信される複数の電波に基づいてナビゲーション装置１００自身の現在位置情報を取得する。
具体的には、ＧＰＳ測位部２は、例えば、位置が既知である複数（例えば、少なくとも３つ）の人工衛星からの電波をＧＰＳアンテナ（図示省略）により受信し、各人工衛星から受信した電波の到達時間から、各人工衛星からのナビゲーション装置１００までの距離を算出し、各人工衛星からの距離の交点の緯度・経度を、携帯電話機の現在位置として取得する。ＧＰＳ測位部２において取得された現在位置としての緯度・経度データは、制御部９に出力されることとなる。
【００２９】
通信部３は、例えば、ネットワークＮにより図示しない情報提供装置と接続されており、当該ネットワークを介して情報提供装置から送信された経路案内、地図情報等の各種情報を受信する。
【００３０】
キー入力部４は、例えば、文字／数字キー、各種機能キー、表示部５と一体的に構成されたタッチパネル等から構成され、ユーザが、各種情報の入力を行う。具体的には、キー入力部４は、ユーザによるキーの押下に基づくキー押下信号を制御部９に出力するとともに、タッチパネルにおいてユーザによりタッチ操作が行われると、当該タッチ操作された座標を算出し、算出した座標に基づく押下信号を制御部９に出力する。また、キー入力部４は、例えば、リモートコントローラ等に備わり、遠隔操作が可能な構成であってもよい。
【００３１】
表示部５は、例えば、ＬＣＤ(Liquid Crystal Display)等のディスプレイを備えて構成され、制御部９からの制御に応じて、地図データその他の情報を当該ディスプレイに表示させる。
【００３２】
装填部６は、例えば、ＳＤメモリカード（Secure Digital Memory Card）等のメモリカードから成る記憶媒体６１を装填するメモリカードスロット等により構成され、記憶媒体６１は、装填部６に装填されることにより、装置本体１に対して着脱自在に接続される。そして、音声案内情報作成処理の実行において、ユーザにより入力される音声案内情報が、音声記録ユニット７により、装填部６に装填された記憶媒体６１に記憶されるとともに、音声案内情報提供処理の実行において、当該記憶媒体６１に記憶された音声案内情報が、音声再生ユニット８により再生されることとなる。
【００３３】
音声記録ユニット７は、例えば、入力手段としてのマイクロホン７１、Ａ／Ｄ変換部７２、エンコード部７３、記憶制御手段としての記録部７４等を備えており、音声案内情報作成処理に際して、ユーザにより入力される音声案内情報を記憶媒体６１に記憶させる処理を行う。
具体的には、マイクロホン７１は、入力される音声を集音し、アナログの音声データに変換する。
Ａ／Ｄ変換部７２は、マイクから入力されるアナログの音声データをデジタルの音声データに変換する処理を行う。
エンコード部７３は、Ａ／Ｄ変換部７２から入力される音声データを、例えば、ＭＰ３（MPEG Audio Layer-3）等のファイル形式にエンコードする。
記録部７４は、エンコード部７３により生成された音声案内情報としての音声データファイルと、位置情報とを互いに対応付けて、記憶媒体６１に記録する処理を行う。
【００３４】
音声再生ユニット８は、例えば、再生部８１、デコード部８２、Ｄ／Ａ変換部８３、増幅部８４、スピーカ８５等を備えており、音声案内情報提供処理に際して、記憶媒体６１に記憶された音声案内情報を再生する処理を行う。
具体的には、再生部８１は、制御部９の制御による所定のタイミングで、記憶媒体６１に記憶された音声案内情報を読み出す。
デコード部８２は、再生部８１から入力される音声データをデコードする処理を行う。
Ｄ／Ａ変換部８３は、デコード部８２から入力したデジタル音声データをアナログ音声データに変換する。
増幅部８４は、アンプ等の装置であり、Ｄ／Ａ変換部８３から入力したアナログ音声データを増幅する。
スピーカ８５は、増幅部８４から入力したアナログ音声データを音声として外部に出力する。
【００３５】
制御部９は、ＣＰＵ（Central Processing Unit）９１、ＲＴＣ（Real Time Clock）９２、メモリ部９３、ＲＯＭ（Read Only Memory）９４等を備えて構成されている。
【００３６】
ＣＰＵ９１は、ナビゲーション装置１００の各部から入力された入力信号等に応じて、ＲＯＭ９４に格納された各種プログラムを実行するとともに、実行にかかるプログラムに基づいて各部に出力信号を出力することにより、ナビゲーション装置１００の動作全般を統括制御する。
【００３７】
ＲＴＣ９２は、現在時刻をカウントし、カウントした現在時刻をＣＰＵ９１に対して出力する。
【００３８】
メモリ部９３は、例えば、ＲＡＭ（Random Access Memory）等の揮発性メモリからなるワークエリア９３１を備えており、ＣＰＵ９１によって各種プログラムが実行される際に生じる処理結果や、入力されたデータ等をこのワークエリア９３１に記憶させる。
【００３９】
また、メモリ部９３は、例えば、ＥＰＲＯＭ（Erasable Programmable ROM）等の不揮発性メモリからなるデータエリア９３２を備えている。データエリア９３２は、例えば、地図情報ＤＢ９３２ａ等を記憶している。
【００４０】
地図情報ＤＢ９３２ａは、全国・各地域の地図データを格納している。具体的には、地図情報ＤＢ９３２ａは、広域図（例えば、全国単位の地図データ）・中域図（例えば、各地方単位の地図データ）・詳細図（例えば、各市町村単位や、各地域単位の地図データ）等の縮尺の異なる複数階層の地図データを記憶している。この地図データは、都道府県、市町村、行政区画、番地等の住所情報や、建物、施設、店舗、公園、鉄道に関する情報、地形情報、道路情報等を含んでいる。また、随時、ネットワークＮを介して情報提供装置（図示省略）からダウンロードした最新の地図データに更新されるようになっている。
なお、これらの地図情報が格納される記憶媒体は、光学的、磁気的、半導体メモリ等の何れで構成しても良い。また、固定的に設けたもの（例えば、磁気テープ、ハードディスク等）でも良く、着脱自在に設けたもの（例えば、ＦＤ、ＭＯ、ＤＶＤ等）であっても良い。
【００４１】
ＲＯＭ９４は、不揮発性メモリから成るプログラム格納エリアを有しており、具体的には、現在位置特定プログラム９４ａ、作成モード選択プログラム９４ｂ、第１作成プログラム９４ｃ、第２作成プログラム９４ｄ、第３作成プログラム９４ｅ、提供プログラム９４ｆ等を記憶している。
【００４２】
現在位置特定プログラム９４ａは、例えば、ＣＰＵ９１に、ナビゲーション装置１００の現在位置を特定させる機能を実現させるためのプログラムである。
具体的には、ＣＰＵ９１は、ＧＰＳ測位部２により、所定の間隔で図示しない複数の人工衛星から発信される複数の電波に基づいて、ナビゲーション装置１００自身の現在位置としての緯度・経度データを取得する。
ＣＰＵ９１は、かかる現在位置特定プログラム９４ａを実行することにより、ＧＰＳ測位部２とともに現在位置特定手段として機能する。
【００４３】
作成モード選択プログラム９４ｂは、例えば、ＣＰＵ９１に、音声案内情報作成処理に際して、作成処理の作成モードをユーザに選択させる機能を実現させるためのプログラムである。
具体的には、ＣＰＵ９１は、音声案内情報作成処理の開始を指示するキー操作がキー入力部４において行われると、メモリ部９３等の所定の領域に記憶された作成モード選択画面用の表示データを読み出し、表示部５に作成モード選択画面を表示させる。
図２は、作成モード選択プログラム９４ｂの実行において、表示部５に表示される作成モード選択画面を例示する図である。図２に示すように、作成モード選択画面では、第１作成モード、第２作成モード、第３作成モードの３つのモードが、これら各モードの簡単な説明とともに表示されており、ユーザは、キー入力部４においてキー操作を行って１つの作成モードを選択する。
当該作成モード選択プログラム９４ｂの実行において、第１作成モードが選択されると第１作成プログラム９４ｃが実行され、また、第２作成モードが選択されると第２作成プログラム９４ｄが選択され、さらに、第３作成プログラム９４ｅが選択されると第３作成プログラム９４ｅが実行されることとなる。
【００４４】
ここで、第１作成モードは、ユーザが、表示部５に表示された地図上で、案内情報の提供地点としての情報提供位置を指定するとともに、指定した情報提供位置のそれぞれに対応づけて、音声案内情報としての音声をマイクロホン７１から入力することにより、音声案内情報が記憶された記憶媒体６１を作成するモードである。第１作成モードでは、任意のタイミングで情報提供位置の指定と、音声案内情報の入力を行うことができる。例えば、各情報提供位置を指定する都度、音声案内情報を入力しても良く、また、全ての情報提供位置の指定が終了してから、各情報提供位置に対して音声案内情報を入力しても良い。また、第１作成モードでは、実際に車両を走行させなくても、任意の場所において、情報提供位置の指定と、音声案内情報の入力を行うことができる。
また、第２作成モードは、ユーザが、実際に車両を移動させながら、案内情報の提供地点としての情報提供位置において、音声案内情報としての音声をマイクロホン７１から入力することにより、音声案内情報が記憶された記憶媒体６１を作成するモードである。第２作成モードでは、入力される音声案内情報が、自動的に、ＧＰＳ測位部２により特定される現在位置に対応付けられて記憶されるため、案内情報の提供地点としての情報提供位置を指定する必要がない。
第３作成モードは、ユーザが、実際に車両を移動させながら、案内情報の提供地点としての情報提供位置を設定するとともに、設定した情報提供位置のそれぞれに対応づけて、音声案内情報としての音声をマイクロホン７１から入力することにより、音声案内情報が記憶された記憶媒体６１を作成するモードである。第３作成モードでは、任意のタイミングで音声案内情報を入力することができる。例えば、車両の走行中に各情報提供位置を設定する都度、音声案内情報を入力しても良く、また、全ての情報提供位置の設定が終了してから、各情報提供位置に対して音声案内情報を入力しても良い。また、第３作成モードでは、情報提供位置以外の場所においても、音声案内情報の入力を行うことができる。
【００４５】
第１作成プログラム９４ｃは、例えば、ＣＰＵ９１に、表示部５に表示された地図情報における任意の情報提供位置をユーザに指定させるとともに、ユーザにより指定された情報提供位置の位置情報と、マイクロホン７１によりユーザにより入力された音声案内情報と、を互いに対応付けて記憶媒体６１に記憶させる機能を実現させるためのプログラムである。
【００４６】
具体的には、ＣＰＵ９１は、前述の作成モード選択プログラム９４ｂの実行において、第１作成モードが選択されると、メモリ部９３等の所定の領域に記憶された第１作成モード画面用の表示データを読み出し、表示部５に第１作成モード画面を表示させる。
図３は、第１作成プログラム９４ｃの実行において、表示部５に表示される第１作成モード画面を例示する図である。図３に示すように、第１作成モード画面には、地図情報が表示される地図情報表示エリアと、指定済みの情報提供位置を示す指定済み情報提供位置表示エリアと、各種処理の実行を指示するための複数のコマンドボタン等が表示されている。コマンドボタンとしては、例えば、地図情報表示エリアに表示された地図情報のスクロール操作等を行うための８方向（上・右上・右・右下・下・左下・左・左上）ボタン、地図情報表示エリアに表示された地図情報を拡大させるための拡大ボタン、地図情報表示エリアに表示された地図情報を縮小させるための縮小ボタン、地図情報表示エリアに表示されているマークＭ１の位置を、情報提供位置として指定するための指定ボタン、各情報提供位置で提供したい音声案内情報の入力を開始するための録音開始ボタン、音声案内情報の入力を終了するための録音終了ボタン等である。また、指定済み情報提供位置表示エリアに表示された指定済みの情報提供位置のそれぞれに対応して、音声案内情報が録音済みであるか否かを示す表示が行われるようになっている。
【００４７】
このような第１作成モード画面の初期状態では、例えば、地図情報表示エリアに、地図情報ＤＢ９３２ａから取得した全国単位の地図である広域地図が表示されており、ＣＰＵ９１は、当該第１作成モード画面において行われるキー操作に基づいて、地図情報ＤＢ９３２ａから地図情報を検索し、検索した地図情報を地図情報表示エリアに表示させる。ユーザは、８方向ボタン、拡大ボタン、縮小ボタン等の操作を行い、案内情報の作成を行う対象エリアの地図情報を地図情報表示エリアに表示させる。
【００４８】
第１作成モード画面において、案内情報の作成を行う対象エリアの地図情報が地図情報表示エリアに表示されると、ユーザは、８方向ボタン等により、地図情報表示エリアに表示されている地図上のマークＭ１の位置を、情報提供位置として指定したい位置に移動させ、指定ボタンを押下する。ＣＰＵ９１は、指定ボタンが押下されると、地図情報表示エリアに表示された地図上でのマークＭ１の緯度・経度を判別し、判別した緯度・経度データを情報提供位置の位置情報として、ワークエリア９３１等に一時的に記憶する。ＣＰＵ９１は、最初に指定される情報提供地点を「Ｐ１」と決定し、その後、情報提供位置が指定される度に、各情報提供位置を「Ｐ２」、「Ｐ３」・・・と繰り上げて決定し、指定された情報提供位置のそれぞれを、指定済み情報提供位置表示エリアに表示させる。
【００４９】
ユーザは、情報提供位置を指定すると、録音開始ボタンを押下して、その情報提供位置において提供したい音声案内情報をマイクロホン７１により入力する。そして、音声案内情報の入力が終了すると、録音終了ボタンを押下する。当該音声案内情報の入力は、各情報提供位置を指定する度に行っても良いし、全ての音声案内情報の入力が終了してから、それぞれの情報提供位置を指定して行っても良い。
【００５０】
ＣＰＵ９１は、指定された情報提供位置において提供する音声案内情報が、マイクロホン７１を介してユーザにより入力され、録音終了ボタンが押下されると、録音開始ボタンの押下から録音終了ボタンの押下までの間に、マイクロホン７１により入力された音声案内情報に対して、音声記録ユニット７のＡ／Ｄ変換部７２、エンコード部７３において上述の処理を実行させることにより、音声案内情報を音声データファイルに変換し、当該音声データファイルを、記録部７４により、情報提供位置の位置情報としての緯度・経度データと対応付けて記憶媒体６１に記憶させる。記憶媒体６１に対する当該音声データファイルの記憶は、一の情報提供位置において提供する音声案内情報が入力される度に行っても良いし、全ての音声案内情報の入力が終了してから、それぞれの情報提供位置に対応付けて一度に行っても良い。
【００５１】
ＣＰＵ９１は、かかる第１作成プログラム９４ｃを実行することにより、キー入力部４、音声記録ユニット７、記録部７４とともに、位置指定手段、第１記憶制御手段（記憶制御手段）として機能する。
【００５２】
第２作成プログラム９４ｄは、例えば、ＣＰＵ９１に、マイクロホン７１により入力された音声案内情報と、当該マイクロホン７１による音声案内情報の入力時において現在位置特定プログラム９４ａの実行により特定された現在位置の位置情報と、を互いに対応付けて記憶媒体６１に記憶させるためのプログラムである。
【００５３】
具体的には、ＣＰＵ９１は、前述の作成モード選択プログラム９４ｂの実行において、第２作成モードが選択されると、メモリ部９３等の所定の領域に記憶された第２作成モード画面用の表示データを読み出し、表示部５に第２作成モード画面を表示させる。
図４は、第２作成プログラム９４ｄの実行において、表示部５に表示される第２作成モード画面を例示する図である。図４に示すように、第２作成モード画面には、現在位置に対応する地図情報が表示される地図情報表示エリアと、音声案内情報が入力された地点である情報提供位置を示す録音済み情報提供位置表示エリアと、各種処理の実行を指示するための複数のコマンドボタン等が表示されている。コマンドボタンは、例えば、音声案内情報の入力を開始するための録音開始ボタン、音声案内情報の入力を終了するための録音終了ボタン等である。また、地図情報表示エリアに表示される地図上には、ナビゲーション装置１００の現在位置を示すマークＭ２が表示されている。
【００５４】
ユーザは、実際に車両を走行させ、音声案内情報を提供したい情報提供位置に到達すると、その地点において、第２作成モード画面の録音開始ボタンを押下して、マイクロホン７１により音声案内情報を入力し、入力が終了すると録音終了ボタンを押下する。ＣＰＵ９１は、最初に音声案内情報が入力された地点を「Ｑ１」と決定し、その後、車両の移動に応じて、音声案内情報の入力が行われる度に、各地点を「Ｑ２」、「Ｑ３」・・・と繰り上げて決定する。
ＣＰＵ９１は、第２作成モード画面における録音開始ボタンの押下を検出すると、現在位置特定プログラム９４ａの実行により、ＧＰＳ測位部２に、ナビゲーション装置１００が搭載された車両の現在位置を特定させる。さらに、ＣＰＵ９１は、録音開始ボタンの押下から録音終了ボタンが押下されるまでの間に、マイクロホン７１を介してユーザにより入力された音声案内情報に対して、音声記録ユニット７のＡ／Ｄ変換部７２、エンコード部７３において上述の処理を実行させることにより、音声案内情報を音声データファイルに変換する。さらに、当該音声データファイルを、記録部７４により、ＧＰＳ測位部２により測位された情報提供位置（例えば、Ｑ１、Ｑ２、Ｑ３）である現在位置の位置情報としての緯度・経度データと対応付けて、記憶媒体６１に記憶させる。記憶媒体６１に対する当該音声データファイルの記憶は、一の情報提供位置において提供する音声案内情報が入力される度に行っても良いし、全ての音声案内情報の入力が終了してから、それぞれの情報提供位置に対応付けて一度に行っても良い。さらに、ＣＰＵは、音声案内情報が入力された情報提供位置のそれぞれを、録音済み情報提供位置表示エリアに表示させる。
【００５５】
ＣＰＵ９１は、かかる第２作成プログラム９４ｄを実行することにより、音声記録ユニット７、記録部７４とともに、第２記憶制御手段（記憶制御手段）として機能する。
【００５６】
第３作成プログラム９４ｅは、例えば、ＣＰＵ９１に、現在位置特定プログラム９４ａの実行により特定された現在位置に基づいて、ユーザに、情報提供位置を設定させるとともに、ユーザにより設定された情報提供位置の位置情報と、マイクロホン７１によりユーザにより入力された音声案内情報と、を互いに対応づけて記憶媒体６１に記憶させる機能を実現させるためのプログラムである。
【００５７】
具体的には、ＣＰＵ９１は、前述の作成モード選択プログラム９４ｂの実行において、第３作成モードが選択されると、メモリ部９３等の所定の領域に記憶された第３作成モード画面用の表示データを読み出し、表示部５に第３作成モード画面を表示させる。
図５は、第３作成プログラム９４ｅの実行において、表示部５に表示される第３作成モード画面を例示する図である。図５に示すように、第３作成モード画面には、現在位置に対応する地図情報が表示される地図情報表示エリアと、設定済みの情報提供位置を示す設定済み情報提供位置表示エリアと、各種処理の実行を指示するための複数のコマンドボタン等が表示されている。コマンドボタンは、例えば、ナビゲーション装置１００が搭載された車両の現在位置を情報提供位置として設定するための設定ボタン、音声案内情報の入力を開始するための録音開始ボタン、音声案内情報の入力を終了するための録音終了ボタン等である。また、設定済み情報提供位置表示エリアに表示される設定済みの情報提供位置のそれぞれに対応して、音声案内情報が録音済みであるか否かを示す表示が行われるようになっている。さらに、地図情報表示エリアに表示される地図上には、ナビゲーション装置１００の現在位置を示すマークＭ３が表示されている。
【００５８】
ユーザは、実際に車両を走行させ、音声案内情報を提供したい情報提供位置に到達すると、その地点において、設定ボタンを押下する。ＣＰＵ９１は、第３作成モード画面における設定ボタンの押下を検出すると、現在位置特定プログラム９４ａの実行により、ＧＰＳ測位部２に、ナビゲーション装置１００が搭載された車両の現在位置としての緯度・経度を特定させ、特定した緯度・経度データを情報提供位置の位置情報として、ワークエリア９３１等に一時的に記憶する。ＣＰＵ９１は、最初に設定される情報提供地点を「Ｒ１」と決定し、その後、車両の移動に応じてユーザにより情報提供位置が設定される度に、各情報提供位置を「Ｒ２」、「Ｒ３」・・・と繰り上げて決定し、設定された情報提供位置のそれぞれを、設定済み情報提供位置表示エリアに表示させる。
【００５９】
ユーザは、情報提供位置を設定すると、録音開始ボタンを押下して、その情報提供位置において提供したい音声案内情報をマイクロホン７１により入力する。そして、音声案内情報の入力が終了すると、録音終了ボタンを押下する。当該音声案内情報の入力は、各情報提供位置を設定する度に行っても良いし、全ての音声案内情報の入力が終了してから、それぞれの情報提供位置を指定して行っても良い。
【００６０】
ＣＰＵ９１は、設定された情報提供位置において提供する音声案内情報が、マイクロホン７１を介してユーザにより入力され、録音終了ボタンが押下されると、録音開始ボタンの押下から録音終了ボタンの押下までの間に、マイクロホン７１により入力された音声案内情報に対して、音声記録ユニット７のＡ／Ｄ変換部７２、エンコード部７３において上述の処理を実行させることにより、音声案内情報を音声データファイルに変換し、当該音声データファイルを、記録部７４により、情報提供位置（例えば、Ｒ１、Ｒ２、Ｒ３）の位置情報としての緯度・経度データと対応付けて記憶媒体６１に記憶させる。記憶媒体６１に対する当該音声データファイルの記憶は、一の情報提供位置において提供する音声案内情報が入力される度に行っても良いし、全ての音声案内情報の入力が終了してから、それぞれの情報提供位置に対応付けて一度に行っても良い。
【００６１】
ＣＰＵ９１は、かかる第３作成プログラム９４ｅを実行することにより、キー入力部４、音声記録ユニット７、記録部７４とともに、設定手段、第３記憶制御手段（記憶制御手段）として機能する。
【００６２】
ここで、音声案内情報入力処理の具体例について説明する。ここでは、例えば、ユーザが、実際に、ナビゲーション装置１００が搭載された車両で対象エリア内のルートを辿りながら、各情報提供地点において音声案内情報を入力する第２作成モードにおける音声案内情報入力処理について説明する。
図６は、音声案内情報入力処理の対象となる対象エリアの地図の一例である。ユーザは、図６の地図に例示する対象エリアにおいて、音声案内情報を提供したい情報提供位置に移動し、その場所で録音開始ボタンを押下して、マイクロホン７１に向けて発声し、音声案内情報を入力する。
【００６３】
例えば、図６のＡ点を音声案内情報の提供される情報提供位置としたい場合、ユーザは、Ａ点において録音開始ボタンを押下する。そして、周りの状況を見ながら、例えば、「右前方に警察署が見えます。警察署を通り過ぎて、その先の交差点を右折してください。交通量が多いので注意してください。」等の経路案内・注意喚起等の音声案内情報を入力し、入力が終了すると、録音終了ボタンを押下する。
ＣＰＵ９１は、録音開始ボタンの押下を検出すると、ＧＰＳ測位部２に、現在位置であるＡ点の緯度・経度データを取得することにより、現在位置を特定して位置情報としての緯度・経度データを取得し、当該緯度・経度のＡ点を「Ｑ１」と決定する。そして、録音開始ボタンの押下から録音終了ボタンが押下されるまでの間に、ユーザにより入力された音声案内情報を音声データファイルに変換し、当該音声データファイルを、「Ｑ１」の位置情報としての緯度・経度データと対応づけて、記憶部により記憶媒体６１に記憶させる。さらに、第２作成モード画面における地図情報表示エリアに表示されている対象エリアの地図上において、情報提供位置「Ｑ１」と決定されたＡ点の位置に、「Ｑ１」とされたことを示すマークを表示させるとともに、録音済み情報提供位置表示エリアに、Ｑ１の位置が、音声情報が入力済みの情報提供位置である旨を表示させる（図４参照）。
【００６４】
次に、例えば、図６のＢ点を情報提供位置としたい場合、ユーザは、Ａ点からＢ点に進み、Ｂ点において録音開始ボタンを押下する。そして、例えば、「次に、抜け道を通ります。左に神社が見えたら、その先を左折してください。分かりにくいので注意してください。神社と病院の間にある道です。」等の音声案内情報を入力し、入力が終了すると、録音終了ボタンを押下する。
さらに、例えば、図６のＣ点を情報提供位置としたい場合、ユーザは、Ｂ点からＣ点に進み、Ｃ点において録音開始ボタンを押下する。そして、例えば、「左前方に寺が見えます。その先を左折してください。目的地まであと少しです。」等の音声案内情報を入力し、入力が終了すると、録音終了ボタンを押下する。
ＣＰＵ９１は、上述したように、録音開始ボタンの押下の検出に基づいて、録音開始ボタンが押下された現在位置の位置情報を特定し、その位置を情報提供位置（例えば、Ｑ２、Ｑ３）とするとともに、ユーザにより入力された音声案内情報を音声データファイルに変換する処理を行って、音声データファイルのそれぞれを、当該音声案内情報が入力された各情報提供位置（例えば、Ｑ２、Ｑ３）に対応付けて、記憶媒体６１に記憶させる。
このように、第２作成モードでの音声案内情報入力処理では、ユーザは、対象エリアの状況を実際に見ながら、既存の経路案内では行われない抜け道の通過の指示や、注意喚起、経路案内以外のメッセージ等を音声で入力することができる。したがって、ユーザは、案内情報の提供を受けるユーザにとって最適と思われる音声案内情報を、個別的に作成することができる。
【００６５】
提供プログラム９４ｆは、例えば、ＣＰＵ９１に、現在位置特定プログラム９４ａの実行により特定される現在位置が、記憶媒体６１に記憶された位置情報に基づく情報提供位置と一致した場合に、記憶媒体６１において、当該位置情報に対応付けられて記憶された音声案内情報をユーザに提供させる機能を実現させるためのプログラムである。
具体的には、音声案内情報再生処理の開始を指示するキー操作がキー入力部４において行われると、ＣＰＵ９１は、前述の第１作成プログラム９４ｃ、第２作成プログラム９４ｄ、第３作成プログラム９４ｅの何れかのプログラムの実行により、ユーザの入力した音声案内情報が記憶された記憶媒体６１が、装置本体１に接続されているか否かを判断する。ＣＰＵ９１は、ユーザの入力した音声案内情報が記憶された記憶媒体６１が装置本体１に接続されていると判断すると、音声案内情報提供処理を開始し、現在位置特定プログラム９４ａの実行により、ＧＰＳ測位部２に、ナビゲーション装置１００が搭載された車両の現在位置を特定させる。そして、特定したナビゲーション装置１００の現在位置が、記憶媒体６１に音声案内情報と対応付けられて記憶された情報提供位置と一致するか否かを判断する。
ここで、ナビゲーション装置１００が搭載された車両の現在位置が、記憶媒体６１に音声案内情報と対応付けられて記憶された情報提供位置と一致するか否かの判断は、ナビゲーション装置１００の現在位置として特定された緯度・経度データが、記憶媒体６１に記憶されている情報提供位置の位置情報としての緯度・経度データの所定の誤差範囲内に含まれているかを判断することにより行われる。
【００６６】
ＣＰＵ９１は、ナビゲーション装置１００の現在位置として特定された緯度・経度データが、記憶媒体６１に記憶されている情報提供位置の位置情報としての緯度・経度データと一致すると判断した場合、記憶媒体６１に情報提供位置としての当該緯度・経度データと対応付けられて記憶されている音声データファイルを、再生部８１により読み出す。さらに、ＣＰＵ９１は、記憶媒体６１から読み出した音声データファイルに対して、音声再生ユニット８のデコード部８２、Ｄ／Ａ変換部８３において上述の処理を実行させることにより、音声案内情報に変換し、変換した音声案内情報を増幅部８４において増幅させ、スピーカ８５から出力させる。
これにより、個々のユーザにより設定された音声案内情報に基づく個別的な案内情報の提供が実現される。
ＣＰＵ９１は、かかる提供プログラム９４ｆを実行することにより、音声再生ユニット８とともに、提供手段として機能する。
【００６７】
以上説明した実施形態１におけるナビゲーション装置１００によれば、マイクロホン７１により、音声案内情報がユーザにより入力され、表示部５により地図情報が表示され、ＣＰＵ９１による第１作成プログラム９４ｃの実行により、表示部５により表示された地図情報における任意の情報提供位置がユーザにより指定され、現在位置特定プログラム９４ａの実行により、現在位置が特定され、第３作成プログラム９４ｅの実行により、現在位置特定プログラム９４ａの実行により特定された現在位置に基づいて、ユーザにより情報提供位置が設定され、第１作成プログラム９４ｃ、第２作成プログラム９４ｄ、第３作成プログラム９４ｅの実行により、マイクロホン７１により入力された音声案内情報と、位置情報とが、互いに対応付けられて、装置本体１に対して着脱自在な所定の記憶媒体６１に記憶され、提供プログラム９４ｆの実行により、現在位置特定プログラム９４ａの実行により特定される現在位置が、所定の記憶媒体６１に記憶された位置情報に基づく情報提供位置と一致した場合に、所定の記憶媒体６１において、当該位置情報に対応付けられて記憶された音声案内情報がユーザに提供される。
したがって、ユーザは、案内情報を、その案内情報を提供したい情報提供位置に対応付けて記憶媒体６１に記憶させることができ、現在位置が、当該記憶媒体６１に記憶された情報提供位置となった場合に、その情報提供位置に対応付けられた案内情報が提供されることとなるため、個々のユーザにより設定された個別的な案内情報を、付加的に提供することができるナビゲーション装置１００を提供することができる。
また、記憶媒体６１は、装置本体１に対して着脱自在であるため、一のナビゲーション装置１００において記憶させた音声案内情報に基づいて、別のナビゲーション装置１００において当該音声案内情報を提供することができることとなり、個々のユーザにより設定された個別的な案内情報を、より利便的に提供することができる。
さらに、案内情報は、音声案内情報であるため、案内情報の入力を行うユーザにとって、案内情報の入力が容易となるとともに、案内情報の提供を受けるユーザにとっても、表示部５を見なくても良いこととなり、ナビゲーション装置１００の使い勝手が良いものとなる。
【００６８】
また、ＣＰＵ９１による第１作成プログラム９４ｃの実行により、指定された情報提供位置の位置情報と、マイクロホン７１により入力された音声案内情報と、が互いに対応づけられて記憶媒体６１に記憶される。したがって、ユーザは、情報提供位置の指定と、音声案内情報の入力のそれぞれを、任意のタイミングで行うことができ、さらに、実際に情報提供位置まで移動しなくても、任意の場所において、情報提供位置の指定と、音声案内情報の入力を行うことができる。
また、ＣＰＵ９１による第２作成プログラム９４ｄの実行により、マイクロホン７１により入力された音声案内情報と、当該マイクロホン７１による音声案内情報の入力時において現在位置特定プログラム９４ａの実行により特定された現在位置の位置情報と、が互いに対応付けられて記憶媒体６１に記憶される。したがって、ユーザにより入力される音声案内情報が、当該音声案内情報の入力時において、現在位置特定手段により特定される現在位置に、自動的に対応付けられて記憶されるため、ユーザは、案内情報の提供地点としての情報提供位置を指定する必要が無いこととなる。
さらに、ＣＰＵ９１による第３作成プログラム９４ｅの実行により、設定された情報提供位置の位置情報と、マイクロホン７１により入力された音声案内情報と、が互いに対応付けられて記憶媒体６１に記憶される。したがって、ユーザは、音声案内情報の入力を任意のタイミングで行うことができ、また、情報提供位置以外でも、音声案内情報の入力を行うことができる。
【００６９】
（実施形態２）
次に、実施形態２のナビゲーション装置について、図７及び図８を参照して説明する。なお、以下の説明では、実施形態１のナビゲーション装置１００と同じ構成については、同一の符号を付して、その説明を省略する。
【００７０】
本実施形態２のナビゲーション装置２００は、例えば、車両等に搭載されるポータブル型のナビゲーション装置であり、実施形態１のナビゲーション装置１００と同様の構成を有している。ナビゲーション装置２００のそれぞれは、図７に示すように、ネットワークＮを介して情報提供装置３００と接続されており、記憶媒体等に予め備えられた情報の他、ナビゲーション装置２００が搭載された車両の現在位置に応じてネットワークＮを介して情報提供装置３００から提供される情報に基づいて、目的地までの経路探索や経路案内、地図情報等の各種情報の提供が行われる。
【００７１】
また、特に、本実施形態２のナビゲーション装置２００では、予め備えられた情報や情報提供装置３００から提供される情報に基づいて提供される案内情報の他に、ユーザ自身が音声案内情報を入力して、これを情報提供装置３００に送信して個別案内情報ＤＢ３００ａに記憶させる個別案内情報入力処理と、当該個別案内情報入力処理により情報提供装置３００の個別案内情報ＤＢ３００ａに記憶された個別案内情報の音声案内情報を、情報提供装置３００から取得し、取得した音声案内情報をユーザに提供する個別案内情報提供処理が行われる。これにより、個々のユーザにより設定された個別的な案内情報の提供を、既存のナビゲーション装置において付加的に実現することができる。
【００７２】
なお、本実施形態２のナビゲーション装置２００では、ユーザに入力させた音声案内情報と、当該音声案内情報を提供する情報提供位置としての位置情報とを対応付けた個別案内情報を、装置本体１に接続された記憶媒体６２に記憶させるのではなく、ネットワークＮを介して情報提供装置３００に送信して個別案内情報ＤＢ３００ａに格納する点において、実施形態１のナビゲーション装置１００と異なる。
【００７３】
情報提供装置３００は、ネットワークＮを介してナビゲーション装置２００と接続されており、ナビゲーション装置２００から送信される個別案内情報を、個別案内情報ＤＢ３００ａに記憶させる。そして、ナビゲーション装置２００からの要求に応じて、個別案内情報ＤＢ３００ａに記憶された個別案内情報を取得し、取得した個別案内情報に基づいて、ナビゲーション装置２００の現在位置に応じた音声案内情報をナビゲーション装置２００に提供する。
【００７４】
次に、ナビゲーション装置２００の要部構成について、図８を参照しながら説明する。
ナビゲーション装置２００は、例えば、装置本体１内に、現在位置特定手段としてのＧＰＳ測位部２、送信手段及び取得手段としての通信部３ａ、第１入力手段としてのキー入力部４、表示手段としての表示部５、装置本体１に対して着脱自在な記憶媒体６２、リーダ・ライタ６ａ、送信手段としての音声送信ユニット７ａ、提供手段としての音声出力ユニット８ａ、制御部９ａ等を備えて構成されている。
【００７５】
装填部６は、例えば、ＳＤメモリカード（Secure Digital Memory Card）等のメモリカードからなる記憶媒体６２を装填する図示しないメモリカードスロットを備え、記憶媒体６２は、装填部６に装填されることにより、装置本体１に対して着脱自在に接続される。そして、個別案内情報入力処理の実行において、ユーザにより入力される位置情報が、リーダ・ライタ６ａにより、この記憶媒体６２に記憶される。また、個別案内情報提供処理が実行される際に、当該記憶媒体６２に記憶されている位置情報が参照され、ナビゲーション装置２００の現在位置が当該記憶媒体６２に記憶された位置情報と一致した場合に、情報提供装置３００の個別案内情報ＤＢ３００ａに格納した個別案内情報において、ナビゲーション装置２００の現在位置としての当該位置情報に対応付けられた音声案内情報が、情報提供装置３００から取得されることとなる。
【００７６】
リーダ・ライタ６ａは、装置本体１に対して着脱自在に接続されたメモリカード等の記憶媒体６２に対して各種データの書き込みを行うとともに、当該記憶媒体６２に記憶されたデータの読み出しを行う。
具体的には、リーダ・ライタ６ａは、後述する個別案内情報入力プログラム９６ｂの実行による個別案内情報入力処理に際して、ユーザにより入力された位置情報を記憶媒体６２に記憶させるとともに、後述する取得プログラム９６ｅの実行による個別案内情報提供処理に際して、記憶媒体６２に記憶させた当該位置情報を読み出して、制御部９ａに出力する。
【００７７】
音声送信ユニット７ａは、例えば、第１入力手段としてのマイクロホン７１、Ａ／Ｄ変換部７２、エンコード部７３等を備えており、個別案内情報入力処理に際して、マイクロホン７１を介してユーザにより入力される音声案内情報を、音声データファイルに変換して通信部３ａに送信する処理を行う。
【００７８】
音声出力ユニット８ａは、例えば、再生部８１、デコード部８２、Ｄ／Ａ変換部８３、増幅部８４、スピーカ８５等を備えており、個別案内情報提供処理に際して、通信部３ａを介して情報提供装置３００から送信される音声案内情報を再生して、出力する処理を行う。
【００７９】
制御部９ａは、ＣＰＵ９５、ＲＴＣ９２、メモリ部９３、ＲＯＭ９６等を備えて構成されている。
【００８０】
ＣＰＵ９５は、ナビゲーション装置２００の各部から入力された入力信号等に応じて、ＲＯＭ９６に格納された各種プログラムを実行するとともに、実行にかかるプログラムに基づいて各部に出力信号を出力することにより、ナビゲーション装置２００の動作全般を統括制御する。
【００８１】
ＲＯＭ９６は、不揮発性メモリから成るプログラム格納エリアを有しており、具体的には、現在位置特定プログラム９６ａ、個別案内情報入力プログラム９６ｂ、送信プログラム９６ｃ、記憶制御プログラム９６ｄ、取得プログラム９６ｅ、提供プログラム９６ｆ等を記憶している。
【００８２】
現在位置特定プログラム９６ａは、例えば、ＣＰＵ９５に、ナビゲーション装置２００の現在位置を特定させる機能を実現させるためのプログラムである。
具体的には、ＣＰＵ９５は、ＧＰＳ測位部２により、所定の間隔で図示しない複数の人工衛星から発信される複数の電波に基づいて、ナビゲーション装置２００自身の現在位置としての緯度・経度データを取得する。
ＣＰＵ９５は、かかる現在位置特定プログラム９６ａを実行することにより、ＧＰＳ測位部２とともに現在位置特定手段として機能する。
【００８３】
個別案内情報入力プログラム９６ｂは、例えば、ＣＰＵ９５に、ユーザに位置情報と、音声案内情報と、を入力させる機能を実現させるためのプログラムである。
ここで、個別案内情報入力プログラム９６ｂにおける位置情報と音声案内情報の入力は、第１モード、第２モード、第３モードの３つのモードにより行うことができる。
すなわち、第１作成モードは、ユーザが、表示部５に表示された地図上で、案内情報の提供地点としての情報提供位置を指定することにより、位置情報を入力するとともに、各情報提供位置に対応付けて、音声案内情報としての音声を、マイクロホン７１から入力するモードである。
また、第２作成モードは、ユーザが、実際に車両を移動させながら、案内情報の提供地点としての情報提供位置において、音声案内情報としての音声をマイクロホン７１から入力するとともに、音声情報案内の入力時における現在位置を情報提供位置とするモードである。
さらに、第３作成モードは、ユーザが、実際に車両を移動させながら、案内情報の提供地点としての情報提供位置を設定することにより、位置情報を入力するとともに、各情報提供位置に対応付けて、音声案内情報としての音声を、マイクロホン７１から入力するモードである。
これらの第１〜第３作成モードにおける個別案内情報入力処理は、それぞれ実施形態１における第１作成モード、第２作成モード、第３作成モードでの位置情報・音声案内情報の入力処理と同様の処理である。したがって、ここでの具体的な説明は省略する。
ＣＰＵ９５は、かかる個別案内情報入力プログラム９６ｂを実行することにより、キー入力部４、マイクロホン７１とともに、第１入力手段及び第２入力手段として機能する。
【００８４】
送信プログラム９６ｃは、例えば、ＣＰＵ９５に、前述の個別案内情報入力プログラム９６ｂの実行において、ユーザにより入力された位置情報と、案内情報とを対応付けた個別案内情報を、情報提供装置３００に送信する機能を実現させるためのプログラムである。
具体的には、個別案内情報入力プログラム９６ｂの実行において、ユーザにより情報提供位置としての位置情報が入力されるとともに、当該情報提供位置において提供したい音声案内情報がマイクロホン７１により入力されると、ＣＰＵ９５は、マイクロホン７１により入力された音声案内情報に対して、音声送信ユニット７ａのＡ／Ｄ変換部７２、エンコード部７３において上述の処理を実行させることにより、音声案内情報を音声データファイルに変換し、当該音声データファイルを、情報提供位置の位置情報としての緯度・経度データと対応付けて、これを個別案内情報とし、通信部３ａによりネットワークＮを介して情報提供装置３００に送信させる。
ＣＰＵ９５は、かかる送信プログラム９６ｃを実行することにより、音声送信ユニット７ａ、通信部３ａとともに送信手段として機能する。
【００８５】
記憶制御プログラム９６ｄは、例えば、ＣＰＵ９５に、前述の個別案内情報入力プログラム９６ｂの実行において、ユーザにより入力された位置情報を、記憶媒体６２に記憶させる機能を実現させるためのプログラムである。
具体的には、個別案内情報入力プログラム９６ｂの実行において、ユーザにより情報提供位置としての位置情報が入力されるとともに、当該情報提供位置において提供したい音声案内情報がマイクロホン７１により入力されると、ＣＰＵ９５は、入力された情報提供位置としての位置情報を、リーダ・ライタ６ａにより、装置本体１に接続された記憶媒体６２に記憶させる。
ＣＰＵ９５は、かかる記憶制御プログラム９６ｄを実行することにより、リーダ・ライタ６ａとともに記憶制御手段として機能する。
【００８６】
取得プログラム９６ｅは、例えば、ＣＰＵ９５に、前述の現在位置特定プログラム９６ａの実行により特定される現在位置が、記憶制御プログラム９６ｄの実行により記憶媒体６２に記憶された位置情報に基づく情報提供位置と一致した場合に、情報提供装置３００から、個別案内情報における当該位置情報に対応付けられた案内情報を取得する機能を実現させるためのプログラムである。
具体的には、個別案内情報提供処理の開始を指示するキー操作がキー入力部４において行われると、ＣＰＵ９５は、前述の記憶制御９６ｄプログラムの実行により、ユーザの入力した位置情報が記憶された記憶媒体６２が、装置本体１に接続されているか否かを判断する。ＣＰＵ９５は、ユーザの入力した位置情報が記憶された記憶媒体６２が装置本体１に接続されていると判断すると、個別案内情報提供処理を開始し、現在位置特定プログラム９６ａの実行により、ＧＰＳ測位部２に、ナビゲーション装置２００が搭載された車両の現在位置を特定させる。そして、特定したナビゲーション装置２００の現在位置が、記憶媒体６２に記憶された情報提供位置の位置情報と一致するか否かを判断する。ナビゲーション装置２００が搭載された車両の現在位置が、記憶媒体６２に記憶された情報提供位置と一致するか否かの判断は、ナビゲーション装置２００の現在位置として特定された緯度・経度データが、情報提供位置として記憶媒体６２に記憶されている緯度・経度データの所定の誤差範囲内に含まれているかを判断することにより行われる。
【００８７】
ＣＰＵ９５は、ナビゲーション装置２００の現在位置として特定された緯度・経度データが、情報提供位置の位置情報として記憶媒体６２に記憶されている緯度・経度データと一致すると判断した場合、送信プログラム９６ｃの実行において、情報提供装置３００に送信して個別案内情報ＤＢ３００ａに格納させた個別案内情報のうち、位置情報としての当該緯度・経度データと対応付けられて記憶されている音声データファイルを要求する要求信号を、通信部３ａによりネットワークＮを介して送信する。そして、当該要求信号に応じて、情報提供装置３００では、かかる音声データファイルを個別案内情報ＤＢ３００ａから検索して読み出し、読み出した音声データファイルを、ネットワークＮを介してナビゲーション装置２００に送信する。ナビゲーション装置２００は、情報提供装置３００から音声データファイルが送信されてくると、これを通信部３ａにより取得する。
ＣＰＵ９５は、かかる取得プログラム９６ｅを実行することにより、通信部３ａとともに取得手段として機能する。
【００８８】
提供プログラム９６ｆは、例えば、ＣＰＵ９５に、前述の取得プログラム９６ｅの実行により取得された案内情報を、ユーザに提供する機能を実現させるためのプログラムである。
具体的には、ＣＰＵ９５は、情報提供装置３００から送信された音声データファイルを、通信部３ａにより受信すると、音声出力ユニット８ａのデコード部８２、Ｄ／Ａ変換部８３において上述の処理を実行させることにより、音声案内情報に変換し、変換した音声案内情報を増幅部８４において増幅させ、スピーカ８５から出力させる。
ＣＰＵ９５は、かかる提供プログラム９６ｆを実行することにより、音声出力ユニット８ａとともに提供手段として機能する。
【００８９】
以上説明した実施形態２におけるナビゲーション装置２００によれば、ＣＰＵ９５による現在位置特定プログラム９６ａの実行により現在位置が特定され、個別案内情報入力プログラム９６ｂの実行により、ユーザにより位置情報が入力されるとともに、ユーザにより案内情報が入力され、送信プログラム９６ｃの実行により、情報提供装置３００に、個別案内情報入力プログラム９６ｂの実行により入力された位置情報と案内情報とが対応付けられた個別案内情報が送信され、記憶制御プログラム９６ｄの実行により、個別案内情報入力プログラム９６ｂの実行により入力された位置情報が所定の記憶媒体６２に記憶され、取得プログラム９６ｅの実行により、現在位置特定プログラム９６ａの実行により特定される現在位置が、記憶制御プログラム９６ｄの実行により所定の記憶媒体６２に記憶された位置情報に基づく情報提供位置と一致した場合に、情報提供装置３００から、個別案内情報における当該位置情報に対応付けられた案内情報が取得され、提供プログラム９６ｆの実行により、取得プログラム９６ｅの実行により取得された案内情報がユーザに提供される。
したがって、ユーザは、案内情報を、その案内情報を提供したい情報提供位置に対応付けて情報提供装置３００に送信するとともに、情報提供位置を示す位置情報を記憶媒体６２に記憶させることができ、現在位置が、当該記憶媒体６２に記憶された情報提供位置となった場合に、その情報提供位置に対応付けられた案内情報が情報提供装置３００から提供されることとなるため、個々のユーザにより設定された個別的な案内情報を、付加的に提供することができるナビゲーション装置２００を提供することができる。また、記憶媒体６２に案内情報を記憶させる必要がなくなり、記憶媒体６２の容量を抑えることができる。
【００９０】
なお、本発明の実施の形態は、上記実施形態に限られることなく、本発明の趣旨を逸脱しない範囲において、種々の改良並びに設計の変更を行っても良い。
例えば、音声案内情報を記憶媒体６１（又は、６２）に記憶させる音声案内情報作成処理（又は、個別案内情報入力処理）と、記憶媒体６１（又は、情報提供装置３００）に記憶された音声案内情報を再生する音声案内情報提供処理（又は、個別案内情報提供処理）のそれぞれを、一つのナビゲーション装置１００（又は、２００）において実行する場合について説明したが、これらの処理は、複数のナビゲーション装置においてそれぞれ別々に行うこともできる。
また、第１モード、第３モードにおける音声案内情報の入力は、情報提供位置の指定／設定の前に、予め行っていても良い。
また、所定の記憶媒体６１、６２は、メモリカードに限られることなく、装置本体１に対して着脱可能であれば、半導体メモリ、磁気テープ、磁気ディスク、光ディスク、光磁気ディスク等の各種記憶装置を適用可能である。
また、上記実施の形態では、ユーザにより入力又はユーザに提供される案内情報が音声案内情報である場合について説明したが、案内情報は表示部５における表示であっても良く、また、音声案内と表示部５での案内表示を併用する構成であっても良い。例えば、案内情報の入力は音声で行い、案内情報の提供は表示部５の表示と音声の両方により行っても良い。
【図面の簡単な説明】
【００９１】
【図１】実施形態１におけるナビゲーション装置の要部構成を例示する図である。
【図２】作成モード選択プログラムの実行において、表示部に表示される作成モード選択画面を例示する図である。
【図３】第１作成プログラムの実行において、表示部に表示される第１作成モード画面を例示する図である。
【図４】第２作成プログラムの実行において、表示部に表示される第２作成モード画面を例示する図である。
【図５】第３作成プログラムの実行において、表示部に表示される第３作成モード画面を例示する図である。
【図６】音声案内情報入力処理の対象となる対象エリアの地図の一例である。
【図７】実施形態２におけるナビゲーション装置の全体構成を例示する図である。
【図８】実施形態２におけるナビゲーション装置の要部構成を例示する図である。
【符号の説明】
【００９２】
１００  ナビゲーション装置
２      現在位置測位部（現在位置特定手段）
４      キー入力部（位置指定手段、設定手段）
５      表示部（表示手段）
６１    記憶媒体（所定の記憶媒体）
７      音声記録ユニット（記憶制御手段、第１制御手段、第２記憶制御手段、第３記憶制御手段）
７１    マイクロホン（入力手段）
７４    記録部（記憶制御手段）
８      音声再生ユニット（提供手段）
９１    ＣＰＵ（位置指定手段、現在位置特定手段、設定手段、記憶制御手段、提供手段、第１記憶制御手段、第２記憶制御手段、第３記憶制御手段）
９４ａ  現在位置特定プログラム（現在位置特定手段）
９４ｃ  第１作成プログラム（位置指定手段、第１記憶制御手段、記憶制御手段）
９４ｄ  第２作成プログラム（第２記憶制御手段、記憶制御手段）
９４ｅ  第３作成プログラム（設定手段、第３記憶制御手段、記憶制御手段）
９４ｆ  提供プログラム（提供手段）
２００  ナビゲーション装置
３００  情報提供装置
３ａ    通信部（送信手段、取得手段）
４      キー入力部（第１入力手段）
７１    マイクロホン（第２入力手段）
６２    記憶媒体（所定の記憶媒体）
６ａ    リーダ・ライタ（記憶制御手段）
７ａ    音声送信ユニット（送信手段）
８ａ    音声出力ユニット（提供手段）
９５    ＣＰＵ（第１入力手段、第２入力手段、送信手段、記憶制御手段、取得手段、提供手段）
９６ａ  現在位置特定プログラム（現在位置特定手段）
９６ｂ  個別案内情報入力プログラム（第１入力手段、第２入力手段）
９６ｃ  送信プログラム（送信手段）
９６ｄ  記憶制御プログラム（記憶制御手段）
９６ｅ  取得プログラム（取得手段）
９６ｆ  提供プログラム（提供手段）
Ｎ      ネットワーク
【図１】
2008224604.tif 000003
【図２】
2008224604.tif 000004
【図３】
2008224604.tif 000005
【図４】
2008224604.tif 000006
【図５】
2008224604.tif 000007
【図６】
2008224604.tif 000008
【図７】
2008224604.tif 000009
【図８】
2008224604.tif 000010